(57)【要約】【課題】  本発明は、襟部にヒータが配設されて保温性に優れた外套を提供する。【解決手段】  本発明の外套は、外套本体１の襟部４にヒータ６が配設されてなる外套であって、襟部４は内外布41、42から構成されており、この内外布41、42間に形成されたヒータ収納空間部５内に、可撓性を有する電熱線61を発熱媒体としたヒータ６が配設されていることを特徴とし、外套の着用者の首、特に首筋を保温することができ、着用者の防寒を効果的なものとすることができる。【選択図】  図１
2014101592.tif 000002
【特許請求の範囲】
【請求項１】
外套本体の襟部にヒータが配設されてなる外套であって、襟部にはヒータ収納空間部が形成されており、このヒータ収納空間部内に、可撓性を有する電熱線を発熱媒体としたヒータが配設されていることを特徴とする外套。
【請求項２】
ヒータの電熱線がヒータ収納袋体の内面に固定された状態で襟部のヒータ収納空間部内に収納されていることを特徴とする請求項１に記載の外套。
【請求項３】
電熱線は、炭素繊維を多数本束ねてなることを特徴とする請求項１又は請求項２に記載の外套。
【発明の詳細な説明】
【技術分野】
【０００１】
本発明は、襟部にヒータが配設されており、保温性に優れた外套に関する。
【背景技術】
【０００２】
従来から、冬季に防寒のために洋服の上から、ベスト、ブルゾン（ジャンパー）、コートなどの外套が着用されている。外套を着用するだけでは防寒が不十分なことから、特許文献１のように、ヒータを組み込んだベスト状の着衣が提案されている。
【０００３】
しかしながら、上記着衣では面状ヒータが用いられており、面状ヒータは可撓性を有するものの硬さがあり、着衣を着た状態において着用者が動きにくく着用感が悪いという問題点を有している。更に、上記着衣では、面状ヒータは背中に対応する部分にだけ設けられており、着衣による保温性が不十分であるという問題点を有している。
【先行技術文献】
【特許文献】
【０００４】
【特許文献１】特開２００２−２９４５０５号公報
【発明の概要】
【発明が解決しようとする課題】
【０００５】
本発明は、襟部にヒータが配設されて保温性に優れ且つ着用者の動きを妨げず優れた着用感を有する外套を提供する。
【課題を解決するための手段】
【０００６】
本発明の外套は、外套本体の襟部にヒータが配設されてなる外套であって、襟部にはヒータ収納空間部が形成されており、このヒータ収納空間部内に、可撓性を有する電熱線を発熱媒体としたヒータが配設されていることを特徴とする。
【０００７】
上記外套において、ヒータの電熱線がヒータ収納袋体の内面に固定された状態で襟部のヒータ収納空間部内に収納されていることを特徴とする。
【０００８】
上記外套において、電熱線は、炭素繊維を多数本束ねてなることを特徴とする。
【発明の効果】
【０００９】
本発明の外套は、上述の如き構成を有しているので、ヒータが配設された襟部は、ヒータが配設されていない時と略同程度の柔軟性を保持しており、外套を着用した状態において首の動きを拘束することはなく、着用者の動きを妨げることはない。
【００１０】
そして、本発明の外套は、その襟部のヒータ収納空間部内にヒータが配設されており、外套の着用者の首を保温することができる。首筋には多数の血管（特に動脈）や神経が通っており、首筋を襟部に配設したヒータによって保温することにより、着用者の防寒を効果的なものとすることができる。
【００１１】
本発明の外套は、その襟部のヒータ収納空間部内にヒータが配設されていることから、マフラーやネックウォーマーを使用する必要がなく、外套を着用するだけで体の保温を容易に図ることができる。マフラーやネックウォーマーを使用すると、眼鏡を着用している場合は眼鏡が曇って視界が遮られることがあるが、このような不測の事態は発生せず、眼鏡を着用している場合であっても確実に視界を確保した状態で体の保温を図ることができる。
【００１２】
上記外套において、ヒータがヒータ収納袋体の内面に固定された状態で襟部のヒータ収納空間部内に収納されている場合には、襟部内の所定位置にヒータを確実に配設させておくことができ、着用者の首を効果的に保温することができる。
【００１３】
上記外套において、電熱線は、炭素繊維を多数本束ねてなる場合には、ヒータの可撓性をより向上させて、外套の襟部の柔軟性をより向上させることができ、着用者の首の動きを拘束することなく、外套の着用者は外套を着用した状態でより軽快な動きをすることができる。
【図面の簡単な説明】
【００１４】
【図１】本発明の外套を示した正面図である。
【図２】外套の襟部を示した部分破断図である。
【図３】外套の襟部を示した断面図である。
【図４】外套の後身頃を示した断面図である。
【図５】スイッチ部材の一例を示した模式断面図である。
【図６】スイッチ部材の使用状態を示した模式断面図である。
【図７】導電線と、導電線又は電熱線との接続部分の防水構造を構成している被覆部材を示した模式斜視図である。
【発明を実施するための形態】
【００１５】
本発明の外套の一例を図面を参照しつつ説明する。外套本体としては、襟部を有しておれば、特に限定されず、例えば、ベスト、ブルゾン（ジャンパー）、コート（ロングコート、ハーフコート）、ジャケットなどの防寒着が挙げられる。以下の説明においては、ベストを例に挙げて本発明を説明する。
【００１６】
図１〜３に示した外套Ａの外套本体１における後身頃２及び前身頃３の上端縁には、着用者が外套Ａを着用した時に、着用者の首を包囲するように首の周囲に位置する襟部４が一体的に設けられている。外套本体１の襟部４は、内側布41と外側布42とを重ね合わせて外周縁部を縫着一体化することによって形成されており、内外布41、42の対向面間にはヒータ収納空間部５が形成されている。外套本体１の襟部４は、その下端縁部、即ち、後身頃２及び前身頃３との接続部分から折り曲げ可能に構成されており、襟部４を立てた状態に維持し、又は、襟部４をその下端縁部から折り曲げて後身頃２及び前身頃３上に載置した状態とすることできる。なお、ヒータ収納空間部５内には、ヒータ６以外に、綿などの天然繊維や合成繊維などを含む保温部材51も収納されていてもよい。
【００１７】
前身頃３は左半部31と右半部32とからなり、左右半部31、32の対向縁及び襟部４の両端縁にはファスナー13が上下方向の全長に亘って連続的に取り付けられており、ファスナー13によって左右半部31、32及び襟部４の両端縁同士が上下方向の全長に亘って互いに一体化又は分離可能に構成されている。
【００１８】
ヒータ収納空間部５内にはヒータ６が配設されている。ヒータ６は、可撓性を有する電熱線61を発熱媒体としている。電熱線61は、可撓性を有し且つ直流電流又は交流電流を通電することによって発熱して外套Ａの着用者の首、好ましくは首筋を保温することができればよく、例えば、炭素繊維を多数本束ねてなるストランド状の電熱線、ニクロム線などが挙げられ、優れた可撓性を有しており、外套の着用者の首の動きを拘束せず、着用者の軽快な動きを維持でき且つ軽量性に優れており、更に、軽量で水や汗などの水分によって錆びにくいことから、炭素繊維を多数本引き揃えてなるストランド状の電熱線が好ましい。なお、炭素繊維を多数本束ねてなるストランド状の電熱線は、例えば、東邦テナックス社から商品名「テナックス」にて市販されている。
【００１９】
電熱線61はヒータ収納袋体62の内面に固定されている。ヒータ収納袋体62は、外套本体１の襟部４を構成している内外布41、42の柔軟性を損なわない柔軟性を有する素材、好ましくは布で構成されている。
【００２０】
ヒータ収納袋体62は、襟部４の上下寸法より若干短い上下寸法を有し且つ着用した時に首筋を全体的に外方から包囲することができる程度の左右寸法を有する内外袋体形成部材621、622の外周縁部同士を一体化することによって形成され、内外袋体形成部材621、622の対向面間に電熱線61が収納可能に構成されている。
【００２１】
一本の電熱線61がヒータ収納袋体62内において襟部４の左右方向（長さ方向）又は上下方向（縦方向）に往復しながらジグザク状に配設されており、内外袋体形成部材621、622の少なくとも一方の内面に接着剤などの汎用の手段を用いて直接、固定されている。なお、ヒータ収納袋体62内に収納される電熱線61は複数本であってもよいが、複数本の電熱線の場合は、後述する導電線63への接続を容易にするために、複数本の電熱線の両端部をそれぞれ集めて束ねておくことが好ましい。そして、電熱線61を発熱媒体とするヒータ６が収納されたヒータ収納袋体62は、外套本体１の襟部４のヒータ収納空間部５内に収納、固定され、ヒータ６が襟部４内に配設されて外套Ａが構成されている。ヒータ収納袋体62のヒータ収納空間部５への固定は、縫着によってもよいし、その他に、面ファスナーなどの公知の方法を用いてもよい。ヒータ収納袋体62は、ヒータ６の電熱線61の熱を着用者に伝え易く、襟部４の保温性が向上するので、襟部４の内側布41（着用者側の布）の内面に固定されていることが好ましい。このように、電熱線61をヒータ収納袋体62の内外袋体形成部材621、622の少なくとも一方の内面に固定させておくことによって、電熱線61がヒータ収納袋体62内、即ち、襟部４内のヒータ収納空間部５内において外套Ａの着用に伴う動きによって偏在することを防止し、電熱線61が襟部４のヒータ収納空間部５内に全体的に略均一に配設された状態を維持することができ、襟部４を全体的にヒータ６によって加熱し、外套Ａの着用者の首を全面的に効果的に保温することができる。
【００２２】
ヒータ６の電熱線61の両端のそれぞれには銅線などの導電線63、63が電気的に接続されており、導電線63、63をヒータ収納袋体62内から引き出し、この導電線63、63を直流電源７に電気的に接続させている。なお、直流電源７は、外套本体１の任意の箇所に着脱自在に固定されている。上記では、導電線63、63を直流電源７に接続した場合を説明したが、導電線63、63に直流電源７の代わりに交流電源を電気的に接続してもよい。この場合、電熱線61に導電線63、63を介して交流電源から交流電流を供給してもよいし、或いは、交流電流を直流電流に変換する回路が付帯したＡＣアダプタを導電線63、63と交流電源との間に介在させ、ＡＣアダプタにおいて交流電流を直流電流に変換した上で、直流電流を導電線63、63を介して電熱線61に供給してもよい。直流電源又は交流電源の何れを用いても外套Ａの作用効果に相違はないので、以下の説明においては、電源として直流電源を用いた場合を例にとって説明する。
【００２３】
直流電源７と導電線63との間にはスイッチ部材８が電気的に介在しており、スイッチ部材８を操作することによって直流電源７から電熱線61に流れる電流のオン、オフ及び電流の大きさを調整してヒータ６のオン・オフ及び発熱量を調整可能に構成している。
【００２４】
例えば、スイッチ部材８のスイッチ部81aを一定時間、押し続ける（長押しする）ことによって直流電源７から電熱線61に直流電流を供給し又は電熱線61への直流電流の供給を遮断するようにしていると共に、直流電源７から電熱線61に直流電流を供給している状態においてスイッチ部材８のスイッチ部81aを押すことによって、電熱線61に供給される電流の大きさを調節し、電熱線61の発熱量を調整することができるように構成されている。
【００２５】
更に、直流電源７から電熱線61に直流電流が供給されている状態下において、スイッチ部材８が点灯するように構成してもよい。このようにスイッチ部材８が点灯することによって、ヒータ６が発熱状態にあることを目視で確認することができ、外套Ａを着用していないときにヒータ６の電源を切り忘れることを防止することができる。更に、スイッチ部材８を外套本体１の外面に露出した状態で設けておくことによって、外套Ａを夜間に着用して外出している場合に、スイッチ部材８の点灯を外部から視認することができ、自動車や二輪車のドライバーなどの注意を喚起し、外套Ａの着用者の安全を確保することも可能となる。
【００２６】
スイッチ部材８を防水構造とすることによって外套から直流電源７を取り外した上で洗濯可能に構成することができる。図５、６に示したように、スイッチ部材８は、内部にスイッチ基板81を収納可能な収納部82aが形成され且つシリコーン樹脂などの合成樹脂から形成されて変形、復元自在なスイッチ部材本体82と、このスイッチ部材本体82の収納部82a内に収納されたスイッチ基板81と、このスイッチ基板81上に配設されてスイッチ部材本体82を外方から押圧することによってスイッチ基板81のスイッチ部81aを押圧する押圧板83と、上記スイッチ部材本体82の収納部82aの開口部を水密的に閉止している閉止部材84とを有している。なお、スイッチ部材８のスイッチ基板81には、ヒータとスイッチ基板81とを電気的に接続する導電線、及び、スイッチ基板81と電源とを電気的に接続する導電線（共に図示せず）が電気的に接続されており、ヒータとスイッチ基板81とを電気的に接続する導電線、及び、スイッチ基板81と電源とを電気的に接続する導電線は、スイッチ部材本体82の収納部82a内から水密的に引き出されている。スイッチ部材８を操作するには、スイッチ部材本体82を外側から指で押圧すればよい。スイッチ部材本体82を外側から指で押圧することによって押圧板83がスイッチ基板81のスイッチ部81aを押圧し、このスイッチ部81aの押圧回数や押圧時間に応じてスイッチ基板81がヒータに流れる電流の大きさ又は供給・停止を制御するように構成されている。スイッチ部材本体82に加えられている押圧力を解除すると、スイッチ部材本体82は元の状態に復元し、押圧板83はスイッチ部材本体82のスイッチ部81aを押圧していない状態に復帰するように構成されている。
【００２７】
上述のように、スイッチ部材８におけるスイッチ部材本体82の収納部82aの開口部は上述のように閉止部材84によって水密的に閉止され、スイッチ部材本体82の収納部82aは水密的に閉塞された状態となっており、スイッチ部材本体82の収納部82a、即ち、スイッチ基板81内に水が浸入するようなことはない。
【００２８】
又、ヒータ６の電熱線61と導電線63との接続部分、後述するヒータ９の電熱線10と導電線12との接続部分、及び、導電線63、12同士の接続部分には、図７に示したように、合成樹脂製の筒状の被覆部材14が被せられた上で被覆部材14の両端開口部が水密的に閉止された状態となっており、上述の接続部分への水の浸入を防止して防水構造とされており、接続部分が錆びるのを防止している。
【００２９】
このように、スイッチ部材８及び各種接続部分を防水構造とすることによって、電源を取り外した上で外套Ａを洗濯することが可能となり、外套を清潔な状態に容易に維持することができる。
【００３０】
又、図１及び図４に示したように、外套本体１の襟部４だけでなく、後身頃２にもヒータ９が配設されていてもよい。後身頃２にヒータ９を配設する要領は、襟部４にヒータ６を配設する要領と同様である。具体的には、後身頃２を内側布21と外側布22とを重ね合わせて縫着一体化することによって形成する。内外袋体形成部材11a、11bを重ね合わせて内外袋体形成部材11a、11bの外周縁部同士を縫着一体化することによってヒータ収納袋体11が形成されており、内外袋体形成部材11a、11bの対向面間に電熱線10が収納可能に構成されている。ヒータ９の発熱媒体として電熱線10をヒータ収納袋体11内に収納した上で、ヒータ収納袋体11を内外布21、22の対向面間に形成されたヒータ収納空間部23内に収納、固定すればよい。詳細には、一本の電熱線10がヒータ収納袋体11内において後身頃２の左右方向又は上下方向に往復しながらジグザク状に配設されており、内外袋体形成部材11a、11bの少なくとも一方の内面に接着剤などの汎用の手段を用いて直接、固定されている。なお、ヒータ収納袋体11内に収納される電熱線10は複数本であってもよいが、複数本の電熱線の場合は、後述する導電線12への接続を容易にするために、複数本の電熱線の両端部をそれぞれ集めて束ねておくことが好ましい。ヒータ収納袋体11は、ヒータ９の電熱線10の熱を着用者に伝え易く、後身頃２の保温性が向上するので、後身頃２の内側布21の内面に固定されていることが好ましい。ヒータ収納袋体11を後身頃２の内面に固定する方法としては、縫着によってもよいし、その他に、面ファスナーなどの公知の方法を用いてもよい。なお、ヒータ収納空間部23内には、ヒータ９以外に綿などの天然繊維や合成繊維などを含む保温部材24も収納されていてもよい。そして、電熱線10の両端のそれぞれに銅線などの導電線12、12を電気的に接続し、これら導電線12、12をスイッチ部材８を介して上述と同様に直流電源７又は交流電源に電気的に接続させればよい。
【００３１】
次に、本発明の外套Ａの使用要領について説明する。外套Ａは、従来の外套と同様の要領で着用すればよい。次に、スイッチ部材８を操作して、襟部４に配設したヒータ６の電熱線61に直流電源７（交流電源）から直流電流（交流電源）を供給して電熱線61を発熱させて襟部４を加熱し、着用者の首、好ましくは首筋を保温することができる。襟部４に配設したヒータ６は、可撓性を有する電熱線61を発熱媒体としており、襟部の柔軟性を損なうものではないので、着用者の首の動きを拘束するものではなく、外套Ａを着用した者は軽快に動くことできる。
【００３２】
外套Ａの襟部４はその下端縁から折り曲げ自在に後身頃２及び前身頃３に一体化されているので、襟部４内のヒータ６による保温が必要な場合には、襟部４を立てた状態として首に近接又は密着させ、襟部４内のヒータ６によって首を保温すればよい。また、襟部４内のヒータ６による首の保温度合いを調整したい場合には、スイッチ部材８を操作してヒータ６の発熱度合いを調節してもよいし、又は、襟部４の起立度合いを調節して、首と襟部４との距離を調節してもよい。襟部４内のヒータ６による保温が不要な場合には、ヒータ６への通電を停止するか又は襟部４をその下端縁から折り曲げて後身頃２及び前身頃３上に載置した状態とし、襟部４を首から離間させた状態とすればよい。
【００３３】
前身頃３の左右半部31、32の対向縁同士及び襟部４の両端縁同士を全面的にファスナー13によって一体化することにより、襟部４で首を外方から全面的に包囲し、襟部４内に配設したヒータ６によって着用者の首を確実に温めて体の保温を効果的に図ることができる。
【００３４】
又、スイッチ部材８を操作して、後身頃２に配設したヒータ９の電熱線10に直流電源７（交流電源）から直流電流（交流電流）を供給して電熱線10を発熱させて後身頃２を加熱し、着用者の背部を保温することができる。
【００３５】
なお、スイッチ部材８を操作して、襟部４に配設したヒータ６又は後身頃２に配設したヒータ９の何れか一方のみを作動させ、或いは、双方を作動させてもよいことはいうまでもない。
【符号の説明】
【００３６】
１     外套本体
２     後身頃
３     前身頃
４     襟部
５     ヒータ収納空間部
６     ヒータ
７     直流電源
８     スイッチ部材
９     ヒータ
10     電熱線
11     ヒータ収納袋体
12     導電線
23     ヒータ収納空間部
61     電熱線
62     ヒータ収納袋体
63     導電線
Ａ     外套
【図１】
2014101592.tif 000003
【図２】
2014101592.tif 000004
【図３】
2014101592.tif 000005
【図４】
2014101592.tif 000006
【図５】
2014101592.tif 000007
【図６】
2014101592.tif 000008
【図７】
2014101592.tif 000009